【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
光ディスクに記録された情報を再生する再生手段を備えた光ディスク再生装置において、
装置本体の前面上部に位置して光ディスクを挿入するディスク挿入口を有するディスク挿入手段と、前記ディスク挿入手段から挿入された光ディスクを保持し、装置の前後方向に移動して前記再生手段へ光ディスクを搬送するディスク搬送手段と、かつ前記ディスク搬送手段を前記装置本体の上下方向へ移動させる移動手段を備え、
前記ディスク搬送手段に光ディスクが保持されているかを判別するディスク判別手段と、該ディスク判別手段からの判別信号によって前記ディスク挿入手段および前記ディスク搬送手段の動作タイミングを制御する制御手段とを備えることを特徴とする光ディスク再生装置。
【請求項２】
光ディスクに記録された情報を再生する再生手段を備えた光ディスク再生装置において、
装置本体の前面上部に位置して光ディスクを挿入するディスク挿入口を有するディスク挿入手段と、前記ディスク挿入手段から挿入された光ディスクを支持し、装置の前後方向に移動して前記再生手段へ光ディスクを搬送するディスク搬送手段と、かつ前記ディスク搬送手段を前記装置本体の上下方向へ移動させる移動手段を備え、
前方向移動の停止を上方向移動の停止よりも遅くする制御手段を備えることを特徴とする光ディスク再生装置。
【請求項３】
光ディスクに記録された情報を再生する再生手段を備えた光ディスク再生装置において、
装置本体の前面上部に位置して光ディスクを挿入するディスク挿入口を有するディスク挿入手段と、前記ディスク挿入手段に挿入された光ディスクを保持し、装置の前後方向に移動して前記再生手段へ光ディスクを搬送するディスク搬送手段と、かつ前記ディスク搬送手段を前記装置本体の上下方向へ移動させる移動手段を備え、
前記ディスク挿入手段のディスク挿入口の開口時期は、前記ディスク搬送手段の上方向移動停止後（停止時を含む）に設定されることを特徴とする光ディスク再生装置。
【請求項４】
光ディスクに記録された情報を再生する再生手段を備えた光ディスク再生装置において、
装置本体の前面上部に位置して光ディスクを挿入するディスク挿入口を有するディスク挿入手段と、前記ディスク挿入手段に挿入された光ディスクを保持し、装置の前後方向に移動して前記再生手段へ光ディスクを搬送するディスク搬送手段と、かつ前記ディスク搬送手段を前記装置本体の上下方向へ移動させる移動手段を備え、
前記ディスク挿入手段のディスク挿入口の開口時期は、前記ディスク搬送手段に光ディスクが保持されていないと判断されたときは前記ディスク搬送手段の上方向移動停止後（停止時を含む）に、かつ載置されていると判断されたときは上方向移動開始前に設定されることを特徴とする光ディスク再生装置。
【請求項５】
光ディスクに記録された情報を再生する再生手段を備えた光ディスク再生装置において、
装置本体の前面上部に位置して光ディスクを挿入するディスク挿入口を有するローダと、前記ローダに挿入された光ディスクを保持し、装置の前後方向に移動して前記再生手段へ光ディスクを搬送するディスク搬送手段と、かつ前記ディスク搬送手段を前記装置本体の上下方向へ移動させるスライドカムを備え、
前記ディスク搬送手段に光ディスクが保持されているか否かを判別するディスク判別手段と、該ディスク判別手段からの判別信号によって前記ローダおよび前記ディスク搬送手段の移動動作を個別に制御する制御手段とを備えることを特徴とする光ディスク再生装置。
【手続補正２】
【補正対象書類名】明細書
【補正対象項目名】００１９
【補正方法】変更
【補正の内容】
【００１９】
図３は、スライドカム１８の上下方向移動によってディスクホルダー６とホルダー駆動手段４を備えたローディング機構をディスク再生部５の方向へ（または、正面方向へ）移動させる移動手段の駆動系の概略配置を示す側面図であり、図４はその要部断面拡大図である。図３に示すようにスライドカム１８はシャーシ２に固定されたガイドピン２ｃ、２ｄとスライドカム１８に設けた縦向きの長穴１８ｅ、１８ｆが係合し、それぞれ摺動自在に取り付けられている。また図４は図３におけるＡ部およびＢ部の断面拡大図で、ローダ１９の側面に固定されたシャフト１９ｂ、１９ｃがシャーシ２に設けた横向きの長穴２ａ、２ｂを貫通し、スライドカム１８に設けた傾斜を有する長穴１８ｃ、１８ｄと係合し、それぞれ摺動自在に取り付けられている。
【手続補正３】
【補正対象書類名】明細書
【補正対象項目名】００２１
【補正方法】変更
【補正の内容】
【００２１】
図３はスライドカム１８が上下移動の最下位にある。この状態ではディスクホルダー６は図１のＡの位置にあり、光ディスク３はディスク再生部５のターンテーブルにチャッキングされる位置にある。前記ローダ１９は装置本体１の中に閉じた状態である。この状態では図３に示すようにローダ１９の前面位置と装置本体１の前面位置は一致している。この状態が通常のディスク再生中、或いはディスク再生装置を使用しない時の状態であり、この状態からディスク再生装置を使用する場合は操作ボタン（図示しない）やリモートコントロール（図示しない）で操作を行い、ローダ１９を開いて、光ディスクの挿入や光ディスクの交換を行うことができる。
【手続補正４】
【補正対象書類名】明細書
【補正対象項目名】００２２
【補正方法】変更
【補正の内容】
【００２２】
本実施例の光ディスク再生装置は、ディスクホルダー６に光ディスク３が保持されているか否かを判別するディスク判別手段（図示せず）を備える。ディスク判別手段は、赤外線を発光する発光部と、その発光部から発光された赤外線を受光する受光部を備えるフォトインタラプタから構成することができる。フォトインタラプタは、光ディスクがディスクホルダー６に保持されていない状態の場合には発光部から発光された赤外線を受光部によって受光し、光ディスク３がディスクホルダー６に保持されている状態の場合には、当該光ディスク３によって受光部から発光された赤外線を受光部が受光するのを遮断する位置に配置される。これにより、フォトインタラプタは、発光部から発光した赤外線が受光部によって受光されたか否かによって光ディスク３がディスクホルダー６に保持された状態か否かを判別し、検出した結果を示す検出信号を後述する制御手段２１の制御回路へ出力する。
【手続補正５】
【補正対象書類名】明細書
【補正対象項目名】００２５
【補正方法】変更
【補正の内容】
【００２５】
図６は光ディスク３を排出する際のローディング動作を示す要部断面図である。この図において、オープン操作（図示しない）により、装置に内蔵されているディスク判別手段でディスクの有無を判別し、その結果が光ディスク３有りと判別した場合、内蔵されている制御回路によってモータ７を駆動させ、ローダ１９を矢印Ａ方向へ移動させ、ローダ１９の上面に設けた挿入口１９ａが本体１の上部前面より前に出て、前記挿入口１９ａが完全に開口状態になってから、ディスクホルダー用モータを含むホルダー駆動手段４を駆動させ、ディスクホルダー６をＢ方向へ移動を開始させ、光ディスク３の排出を行うことを可能とした。
【手続補正６】
【補正対象書類名】図面
【補正対象項目名】図４
【補正方法】変更
【補正の内容】
【図４】
2004022090.tif 000001